(57)【要約】【課題】  水を電解液として使用することにより電力を発生する水電池を提供する。【解決手段】  上開口と下開口を有する金属パイプと、該上開口を封止させる封止ブロック（３）と、ヘッドと該封止ブロック（３）を貫通しながら金属パイプの内部に延伸するロッド本体を有する陽極ロッドと、金属パイプの内部に設けられる吸水部材と、該吸水部材と封止ブロック（３）との間に充填される活性炭と、該吸水部材を位置決めするために金属パイプの内部に設けられる位置決めリングと、該下開口を封止させると共に、貫通孔を有する封止ブロック（６）と、を備えることを特徴とする。【選択図】  図２
0003112869.tif 000002
【実用新案登録請求の範囲】
【請求項１】
上開口と下開口を有する金属パイプと、該上開口を封止させる封止ブロック（３）と、ヘッドと該封止ブロック（３）を貫通しながら金属パイプの内部に延伸するロッド本体を有する陽極ロッドと、金属パイプの内部に設けられる吸水部材と、該吸水部材と封止ブロック（３）との間に充填される活性炭と、該吸水部材を位置決めするために金属パイプの内部に設けられる位置決めリングと、該下開口を封止させると共に、貫通孔を有する封止ブロック（６）と、を備えることを特徴とする水電池。
【請求項２】
前記封止ブロック（６）と吸水部材との間に貯水空間が形成されることを特徴とする請求項１に記載の水電池。
【請求項３】
前記ロッド本体はカーボネートからなり、前記ヘッドはステンレスからなることを特徴とする請求項１又は２に記載の水電池。
【考案の詳細な説明】
【技術分野】
【０００１】
本考案は、特に水を電解液として使用することにより電力を発生する水電池に関するものである。
【背景技術】
【０００２】
一般に電力は、風力、原子力、太陽エネルギー又はバッテリーなどから供給され、又、バッテリーとしては、低汚染である亜鉛/銅の電極がよく使用され、これも金属の電位差により、電力を提供するものである。
【考案の開示】
【考案が解決しようとする課題】
【０００３】
しかしながら、上記の亜鉛/銅の電極を有するバッテリーは食塩水を電解液として使用するので、以下のような問題を有する。
１、化学反応の過程中、食塩水の中に雑物が発生しやすいので、バッテリーの電力供給効果を低下させてしまう。
２、電解液の補充が面倒であるので、一旦バッテリーの電力供給効果が低下してしまうと、非常に不便である。
３、食塩水を電解液として使用すると、亜鉛と銅からなる電極の使用寿命に悪影響を与えるので、バッテリーの使用寿命を向上させることができない。
【０００４】
そこで、提案されたのが本考案であって、水を電解液として使用することにより電力を発生する水電池を提供することを目的としている。
【課題を解決するための手段】
【０００５】
本願の請求項１の考案は、上開口と下開口を有する金属パイプと、該上開口を封止させる封止ブロック（３）と、ヘッドと該封止ブロック（３）を貫通しながら金属パイプの内部に延伸するロッド本体を有する陽極ロッドと、金属パイプの内部に設けられる吸水部材と、該吸水部材と封止ブロック（３）との間に充填される活性炭と、該吸水部材を位置決めるために金属パイプの内部に設けられる位置決めリングと、該下開口を封止させると共に、貫通孔を有する封止ブロック（６）と、を備えることを特徴とする水電池、を提供する。
【０００６】
本願の請求項２の考案は、前記封止ブロック（６）と吸水部材との間に貯水空間が形成されることを特徴とする請求項１に記載の水電池、を提供する。
【０００７】
本願の請求項３の考案は、前記ロッド本体はカーボネートからなり、前記ヘッドはステンレスからなることを特徴とする請求項１又は２に記載の水電池、を提供する。
【考案の効果】
【０００８】
本考案は上記の課題を解決するものであり、陰極として使用される金属パイプの上開口に陽極ロッドを有する封止ブロックが設けられ、金属パイプの内部に順序に活性炭、吸水部材、位置決めリング及び下開口を封止する封止ブロックが設けられることにより、電極の電位差により電力を発生することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る水電池の第１実施例を示す分解斜視図であり、図２は本考案に係る水電池の第１実施例を示す断面図であり、図３は本考案に係る水電池の第２実施例を示す断面図であり、図４は本考案に係る水電池に水を注入する状態を示す断面図であり、図５は本考案に係る水電池の第３実施例を示す断面図である。
【００１１】
図１及び図２に示すように、本考案に係る水電池は、金属パイプ（１）と、陽極ロッド（２）と、封止ブロック（３）（６）と、吸水部材（４）と、位置決めリング（５）とを有し、該金属パイプ（１）は陰極として使用され、上端に上開口（１１）が形成されると共に、下端に下開口（１１’）が形成され、又、該金属パイプ（１）はＡｌ−Ｍｇ合金又は亜鉛からなる。
【００１２】
前記陽極ロッド（２）は、例えばステンレスのヘッド（２１）と例えばカーボネードのロッド本体（２２）からなり、前記上開口（１１）に中央にロッド本体（２２）を収容するための貫通孔（３１）を有する封止ブロック（３）が設けられ、前記吸水部材（４）は封止ブロック（３）と接触しないように金属パイプ（１）の内部に設けられ、該吸水部材（４）と封止ブロック（３）との間に活性炭（７）が充填される。又、前記位置決めリング（５）は吸水部材（４）を位置決めするために金属パイプ（１）の内部に設けられる。前記金属パイプ（１）の下開口（１１’）に中央に貫通孔（６１）を有する封止ブロック（６）が設けられる。又、該封止ブロック（６）は導電可能な材質からなる。
【００１３】
図２に示すように、本考案に係る水電池を組合わせる場合、先ず封止ブロック（３）によって金属パイプ（１）の上開口（１１）を封止させ、該ロッド本体（２２）を封止ブロック（３）の貫通孔（３１）に挿入させ、該金属パイプ（１）の下開口（１１’）を通じて金属パイプ（１）の内部に活性炭（７）が充填され、次に吸水部材（４）と位置決めリング（５）を順序に金属パイプ（１）の内部に設置させ、最後に封止ブロック（６）によって金属パイプ（１）の下開口（１１’）を封止させる。
【００１４】
又、前記封止ブロック（６）によって金属パイプ（１）の下開口（１１’）を封止させた後、該封止ブロック（６）と吸水部材（４）との間に貯水空間（８）が形成される。
【００１５】
図３に示すように、本実施例の陽極ロッド（２’）におけるヘッドとロッド本体はステンレスからなる一体形成のロッドである。
【００１６】
又、図４に示すように、水を含む活性炭を電解液として使用すると、約１．５ボルトの電圧を発生できる。水電池の電力が弱くする際、封止ブロック（６）の貫通孔（６１）を通じて貯水空間（８）に水を注入させ、該水を吸水部材（４）によって活性炭（７）に吸収することにより、水電池を簡単に再利用することができる。
【００１７】
図５に示すように、本考案に係る水電池の第３実施例は、前記第１実施例と殆ど等しく、異なるのは、該封止ブロック（６）が直接に位置決めリング（５）と接触することにより、貯水空間を形成しないが、前記第１実施例と等しい効果を達成できる。
【産業上の利用可能性】
【００１８】
本考案は上記の構成を有するので、陰極として使用される金属パイプの上開口に陽極ロッドを有する封止ブロックが設けられ、金属パイプの内部に順序に活性炭、吸水部材、位置決めリング及び下開口を封止する封止ブロックが設けられることにより、電極の電位差により電力を発生することができる。
【図面の簡単な説明】
【００１９】
【図１】本考案に係る水電池の第１実施例を示す分解斜視図である。
【図２】本考案に係る水電池の第１実施例を示す断面図である。
【図３】本考案に係る水電池の第２実施例を示す断面図である。
【図４】本考案に係る水電池に水を注入する状態を示す断面図である。
【図５】本考案に係る水電池の第３実施例を示す断面図である。
【符号の説明】
【００２０】
１          金属パイプ
１１        上開口
１１’      下開口
２          陽極ロッド
２’        陽極ロッド
２１        ヘッド
２２        ロッド本体
３          封止ブロック
３１        貫通孔
４          吸水部材
５          位置決めリング
６          封止ブロック
７          活性炭
８          貯水空間
【図１】
0003112869.tif 000003
【図２】
0003112869.tif 000004
【図３】
0003112869.tif 000005
【図４】
0003112869.tif 000006
【図５】
0003112869.tif 000007